(57)【要約】【課題】  太陽電池モジュールの設置において、簡易な構造で太陽電池モジュールを接続できる固定具及び、高強度及び軽量化を可能にした太陽光発電システムを得ることを目的とする。【解決手段】  本発明にかかる固定具は、太陽電池セルが複数枚直列接続された矩形状の太陽電池モジュールの裏面側に前記第一太陽電池モジュールの長手方向に沿って並行に設けられた中空状の支持部材内に一端側を挿し込み、太陽電池セルが複数枚直列接続された矩形状の第二太陽電池モジュールの裏面側に前記第二太陽電池モジュールの長手方向に沿って並行に設けられた中空形状の支持部材内に他端側を差し込むことで前記第一太陽電池モジュールと前記第二太陽電池モジュールを接続するものである。【選択図】          図３
2014095261.tif 000002
【特許請求の範囲】
【請求項１】
太陽電池セルが複数枚直列接続された矩形状の太陽電池モジュールの裏面側に前記第一太陽電池モジュールの長手方向に沿って並行に設けられた中空状の支持部材内に一端側を挿し込み、太陽電池セルが複数枚直列接続された矩形状の第二太陽電池モジュールの裏面側に前記第二太陽電池モジュールの長手方向に沿って並行に設けられた中空形状の支持部材内に他端側を差し込むことで前記第一太陽電池モジュールと前記第二太陽電池モジュールを接続する中空状の固定具。
【請求項２】
前記固定具は断面矩形状であり、
前記固定具の底面と前記支持部材を取り付け可能な架台とにより前記支持部材の底面を挟み込むことを特徴とする請求項１記載の固定具。
【請求項３】
前記固定具は断面矩形状で中空状の固定具本体と締結用ボルトで構成され、
前記固定具本体は前記固定具本体の外形を構成する外郭と、前記外郭の天面側に設けられた内郭を備え、
前記外郭は断面矩形状かつ中空状であり、架台に取り付けられた際に、前記架台と接触し長尺方向に孔を有する外郭底面部と、前記外郭の側面を形成する外郭側面部と、前記外郭の天面を形成する外郭天面部で構成され、
前記内郭は断面矩形状かつ中空形状であり、前記外郭天面部と一部を共通する内郭天面部と、前記内郭の側面を形成する内郭側面部と、前記内郭の底面を形成し長尺方向に孔を有する内郭底面部とで構成され、
前記締結用ボルトは、ナットと嵌め合い可能な軸部と、前記軸部の一端部に軸部よりも太さが太い頭部とから構成され、
前記頭部が前記内郭に挿入された際、前記軸部が前記外郭底面部の孔部と前記内郭底面部の孔部を通過し、前記軸部のうち前記通過した部分を前記架台の固定穴に差し込みナットで固定することで前記第一太陽電池モジュールと前記第二太陽電池モジュールを接続する請求項１乃至２のいずれかに記載の固定具。
【請求項４】
太陽電池セルが直列接続された前記第一太陽電池モジュールと、
前記第一太陽電池モジュールの裏面側に前記第一太陽電池モジュールの長手方向に沿って並行に設けられた中空状の前記第一支持部材と、
太陽電池セルが直列接続された前記第二太陽電池モジュールと、
前記第二太陽電池モジュールの裏面側に前記第二太陽電池モジュールの長手方向に沿って並行に複数本設けられた中空状の前記第二支持部材と、
前記第一支持部材と前記第二支持部材を請求項１乃至３のいずれか記載の固定具に連結された太陽光発電システム。
【発明の詳細な説明】
【技術分野】
【０００１】
本発明は太陽電池モジュールを架台等に固定する固定具、及びこの固定具を用いて太陽電池モジュールを接続したものを複数並べて製造された太陽光発電システムに関する。
【背景技術】
【０００２】
太陽電池モジュールを建造物の屋根面、屋上又は地上に設置する場合、架台を組み上げ、その架台に太陽電池モジュールを固定する。太陽電池モジュールの設置に関しては、設置環境で想定されうる暴風や地震等の自然災害に耐え得る強度の確保が必要である。
【０００３】
従来、太陽電池モジュールの強度を上げるために、太陽電池モジュールの周囲を金属製のフレームで囲み込んだ構造が用いられていた。しかし、太陽電池モジュールの外形全周を金属製のフレームで囲み込むため、太陽電池モジュールの強度は保つことができるが、重量が重くなるといった問題がある。また、この重量が重くなった分に耐え得るように架台等も骨組みの本数を増やすか、又は骨組みを太くする必要があった。このため、太陽光発電システム全体として重くなってしまうという問題があった。
【０００４】
この問題を解決するために、特許文献１に記載の太陽電池モジュールの施工方法は太陽電池モジュールの周囲を金属製のフレームで囲み込む代わりに、太陽電池セルを複数枚並べて、その上下面からフィルム等で挟み込んで形成された太陽電池モジュールの裏面に支持部材が長手方向に沿って２本設けられ、この支持部材の両端部に架台の取り付け具と係合する係合部を備えた構造が採用されている。この構造により、太陽電池モジュールを補強する部材が減るため軽量化することができる。よって、架台の骨組みの本数を減らし、又は骨組みを細くすることができるため、太陽光発電システム全体として軽量化を達成することが出来る。
【先行技術文献】
【特許文献】
【０００５】
【特許文献１】特開２０１１−２２２９３０号公報
【発明の概要】
【発明が解決しようとする課題】
【０００６】
しかし、特許文献１における太陽電池モジュール及びその施工方法については、上記太陽電池モジュールの支持部材の両端の係合部や架台の取り付け具の形状が複雑であり、また架台にもその形状に合わせた取り付け穴形状を備える必要があり、部材の低コスト化に課題があった。
【０００７】
そこで、本発明は上記した課題に鑑みてなされたものであり、太陽電池モジュールの設置において、簡易な構造で太陽電池モジュールを接続できる固定具及び、高強度及び軽量化を可能にした太陽光発電システムを得ることを目的とする。
【課題を解決するための手段】
【０００８】
本発明にかかる固定具は、太陽電池セルが複数枚直列接続された矩形状の太陽電池モジュールの裏面側に前記第一太陽電池モジュールの長手方向に沿って並行に設けられた中空状の支持部材内に一端側を挿し込み、太陽電池セルが複数枚直列接続された矩形状の第二太陽電池モジュールの裏面側に前記第二太陽電池モジュールの長手方向に沿って並行に設けられた中空形状の支持部材内に他端側を差し込むことで前記第一太陽電池モジュールと前記第二太陽電池モジュールを接続するものである。
【発明の効果】
【０００９】
本発明は、中空状の固定具を介して二つの太陽電池モジュールを連結するため、簡易な構造で高強度かつ軽量化を可能にした太陽光発電システムを得ることができる。
【図面の簡単な説明】
【００１０】
【図１】実施の形態１に係る太陽電池モジュールを架台に載置した太陽光発電システムの全体構成を示す斜視図。
【図２】実施の形態１に係る固定具本体の構成を示す図。
【図３】実施の形態１に係る固定具の断面図
【図４】実施の形態１に係る固定具を底面側から見た図。
【図５】実施の形態１に係る固定具に取り付ける太陽電池モジュールの構成を示す図。
【図６】実施の形態１に係る２枚の太陽電池モジュールを固定具に取り付ける方法を示す図。
【図７】実施の形態１に係る２枚の太陽電池モジュールを第一固定具に取り付けた後の取り付け部分の拡大図。
【図８】図３に記載の締結用ボルトを反対に取り付けた図。
【図９】実施の形態１に係る太陽電池モジュールを第一固定具から取り外す工程を示す図。
【発明を実施するための形態】
【００１１】
実施の形態１
本発明の実施の形態１について図面を参照して説明する。図１は実施の形態１にかかる太陽電池モジュール２を架台３に載置した太陽光発電システム１の全体構成を示す斜視図である。
図１に示すように、太陽光発電システム１は複数の太陽電池モジュール２が電気的に直列接続され、これを架台３に取り付けることで構成される。複数の太陽電池モジュール２は矩形状をしており、隣接する複数の太陽電池モジュール２の短辺同士を横方向に固定具４を介して架台３に取り付けられる。こうして構成された太陽光発電システム１は建造物の屋上、屋根面、又は地上に設置して使用される。このようなに配置にすることで、架台３の本数が３本に対して太陽電池モジュール２の枚数が２枚取り付けることができる。なお、架台３には太陽電池モジュール２を固定するための固定穴３ａ（図示せず）を有しており、この固定穴３ａに締結用ボルト１４（後述する）を差し込むことで太陽電池モジュール２を固定することができる。
【００１２】
図２を参照して、太陽電池モジュール２同士を接続する固定具４について説明する。図２は実施の形態１に係る固定具４の構成を示す図である。
実施の形態１に係る固定具４は、中空状の形状をし、太陽電池モジュール２を接続する際、太陽電池モジュール２の裏面に配置された太陽電池モジュール２の強度を補強する中空状の支持部材１８（後述する）の本数と同数使用される。この固定具４の底面には締結用ボルト１４が通る長穴が形成されている。固定具４は太陽電池モジュール２の支持部材１８に差し込まれ、太陽電池モジュール２の支持部材１８の底面を固定具４と架台３で挟み込むことで太陽電池モジュール２が接続され、架台３に取り付け可能な状態となる。
【００１３】
つづいて、固定具４の詳細な構造について図３を参照して説明する。図３は実施の形態１に係る固定具４の断面図である。
図３に示すように、固定具４は、固定具本体５と、固定具本体５を架台３に固定するための締結用ボルト１４とを備えている。
【００１４】
固定具本体５は、固定具本体５の外形を構成する外郭６と、外郭６の内部かつ天面側に設けられた内郭７とから構成される。
外郭６は断面矩形状かつ中空状であり、架台３に取り付けられた際に、架台３と接触する外郭底面部８と、外郭６の側面を形成する外郭側面部９と、外郭６の天面を形成する外郭天面部１０と、で構成される。
内郭７は断面矩形状かつ中空形状であり、外郭天面部１０の略中央部分に一部を共通した内郭天面部１１と、内郭７の側面を形成する内郭側面部１２と、内郭７の底面を形成する内郭底面部１３と、で構成される。
締結用ボルト１４は、一端部にナット２９（後述する）と嵌めあい可能な軸部１５、軸部１５の他端部に軸部１５よりも太さが太い頭部１６とから構成される。
【００１５】
また、外郭底面部８と内郭底面部１３には締結用ボルト１４の軸部１５が挿入可能なサイズの外郭底面孔部１７及び内郭底面孔部１３ａが長手方向に設けられている。さらに、内郭底面部１３に設けられた孔は締結用ボルト１４の頭部１６は通過できないサイズとなっている。内郭側面部１２の高さ（内郭底面部１３の内面から内郭天面部１１の内面までの間隔）は締結用ボルト１４の頭部１６の高さよりもわずかに大きくなっており、内郭側面部１２の間隔（内郭側面部１２の内面の間隔）は締結用ボルト１４の頭部１６の幅よりもわずかに広くなっている。例えば、締結用ボルト１４の頭部１６と内郭７との間には０．１ｍｍ〜１ｍｍ程度のわずかなクリアランスが設けられている。そのため、締結用ボルト１４は、固定具本体５に嵌められた状態で、固定具本体５の長手方向に沿って自在に移動可能となっている。この締結用ボルト１４を用いて固定具本体５を架台３に取り付けるためには、締結用ボルト１４の頭部１６を、内郭天面部１１と内郭側面部１２と内郭底面部１３で囲まれたエリアに挿入し、締結用ボルト１４の軸部１５を内郭底面孔部１３ａ及び外郭底面孔部１７に横方向から挿入させる。なお、軸部１５の長さは、少なくとも、頭部１６を内郭７に挿入した際に外郭底面部８から飛び出るサイズにする必要がある。
【００１６】
この固定具本体５の中空構造を容易に成形するためには、アルミニウム合金での押し出し成形による製造が考えられる。ただし、上記構造は必ずしも本発明を限定するものではなく、ステンレス鋼等の金属板での曲げ加工による成形であっても構わない。
【００１７】
外郭底面部８に構成された外郭底面孔部１７の形状について図４を参照して説明する。図４は実施の形態１に係る固定具４を底面側から見た図である。
固定具本体５には、架台３と接する外郭底面部８に中空方向と並行に外郭底面孔部１７が形成されている。また、同様に内郭底面部１３にも中空方向と並行に内郭底面孔部１３ａが形成されている。固定具本体５は端部の一方のみが開構造となっている外郭底面孔部１７を介した架台３の固定手段として、固定のための締結用ボルト１４が備えられている。架台３に形成された固定穴３ａに対して、外郭底面孔部１７を通過させた締結用ボルト１４が差し込まれ、ナット２９で軸部１５を固定することにより、固定具４が架台３に固定される。なお、図４では外郭底面孔部１７は一方だけ開構造である必要はなく、両方開構造であっても勿論よい。
【００１８】
内郭底面孔部１３ａは、外郭天面部１０及び内郭天面部１１の略中央部分に形成されているが、締結用ボルト１４の頭部１６を内郭７に挿入した際、軸部１５が通過可能えあれば一方側に寄せられて形成されていても構わない。なお、締結用ボルト１４を組み付けるために、上記の一方の端部を開とした外郭底面孔部１７を備えたが、端部を切り欠くことで、締結用ボルト１４の軸部１５を先に外郭底面孔部１７に通してから、頭部１６を内郭７に嵌めて、外郭６に組み付けることも出来る。
【００１９】
つづいて、固定具４に取り付ける太陽電池モジュール２の構造について図５を参照して説明する。図５は、実施の形態１に係る固定具４に取り付ける太陽電池モジュール２の構成を示す図である。
太陽電池モジュール２は、電気的に直列接続された複数の太陽電池セルが主にＥＶＡ（エチレン酢酸ビニル）などの封止材により、ガラスなどの受光面材と樹脂フィルムなどの裏面保護シートとで一体化され、この太陽電池モジュール２の裏面保護シートの表面には、太陽電池モジュール２の短辺から突出する複数の長尺状の支持部材１８を備えている。この支持部材１８は太陽電池モジュール２の長辺に平行になるように一定の間隔を空けて接着材などにより備え付けられている。なお、この支持部材１８は中空形状をしておりこの中空形状の内部に固定具４を差し込み可能となっている。
【００２０】
図６は実施の形態１に係る２枚の太陽電池モジュール２を固定具４に取り付ける方法を示す図である。図６を参照して、２枚の太陽電池モジュール２が固定具４に接続する方法について説明する。
所定の間隔に第一支持部材１９と第二支持部材２０が備え付けられた第一太陽電池モジュール２１と、第一支持部材１９と第二支持部材２０の間隔と同一間隔に第三支持部材２２と第四支持部材２３が備え付けられた第二太陽電池モジュール２４とを接続する第一固定具２５及び第二固定具２６を架台３に仮固定する。この仮固定の方法として、締結用ボルト１４の軸部１５を架台３に設けられた締結用ボルト１４の固定穴３ａに挿入する。なお、第一支持部材１９と第二支持部材２０の間隔と、第三支持部材２２と第四支持部材２３の間隔と、第一固定具２５と第二固定具２６の間隔は略同じ間隔となっている。本実施の形態１では、一枚の太陽電池モジュール２に備える支持部材１８の本数は２本で、固定具４の個数も２個であるが、この個数に決まったものではなく、支持部材の本数と固定具４の数が同じであればよい。固定具４の数を増やすことで太陽光発電システム１全体として重量は重くなるが第一太陽電池モジュール２１と第二太陽電池モジュール２４を接続する強度を強くすることができる。また、逆に固定具４の数を減らすことで太陽光発電システム１全体として重量を軽くすることができる。
【００２１】
第一固定具２５の一端側が第一支持部材１９内に差し込まれ、他端側が第三支持部材２２内に差し込まれる。同様に第二固定具２６の一端側が第二支持部材２０内に差し込まれ、他端側が第四支持部材２３内に差し込まれる。
差し込み方法は、上述したように仮固定した第一固定具２５に第一太陽電池モジュール２１の第一支持部材１９の底面である第一支持部材底面部２７を第一固定具２５と架台３の間に挟み込むように差し込む。また、同様に仮固定した第二固定具２６に第二太陽電池モジュール２４の第二支持部材２０の底面である第二支持部材底面部２８を第二固定具２６と架台３の間に挟み込むように差し込む。このように差し込むことで、第一支持部材底面部２７及び第二支持部材底面部２８が架台３と外郭底面部８の間に挟まり、ナット２９を締結用ボルト１４の軸部１５に勘合させることにより固定される。なお、第一太陽電池モジュール２１及び第二太陽電池モジュール２４は短辺同士に隙間を設けるように設置し、第一支持部材１９及び第二支持部材２０の端部は架台３に略三分の一程度に載せることとする。なお、第一太陽電池モジュール２１と第二太陽電池モジュール２４間に隙間を設けることで、風の通り路が形成されるため、台風などの強風発生時において太陽電池モジュール２にかかる風荷重を低減することが出来る。また、固定具４を太陽電池モジュール２の支持部材１８の内部にスライドさせることが出来るため太陽電池モジュール２を設置させるときに位置あわせがしやすくなる。
【００２２】
つづいて、差し込まれた後の支持部材１８と固定具４の位置関係については図７を用いて説明する。図７は、実施の形態１に係る２枚の太陽電池モジュール２を第一固定具２５に取り付けた後の取り付け部分の拡大図である。なお、第二固定具２６については第一固定具２５と取り付け構造が同じであるため説明は省略する。
図７に示すように、第一太陽電池モジュール２１は第一支持部材１９が架台３と第一固定具２５で挟み込まれるようにして固定される。第一固定具２５は、第一固定具２５の外郭底面孔部１７を通過した締結用ボルト１４が差し込まれた架台３の下側に突出した軸部１５に座金とナット２９により下側で締め付けられて固定される。こうすることで、中空状の固定部を介して二つの太陽電池モジュール２を連結することが出来るため、簡易な構造で高強度かつ軽量化を可能にした太陽光発電システム１を得ることができる。また、締結用ボルト１４は太陽電池モジュール２が設置される表面に対して、外部に露出せず、締結部に降雨時に雨水がかかり難くなり、締結部の錆の発生を防ぐことが出来る。また、締結用ボルト１４の頭部１６の形状は本実施の形態１では、円形形状にしたが、矩形形状（例えば６角形形状）とすることで、ナット２９の取り付ける際、頭部１６の外形が内郭側面部１２に衝突し、回転しないため、取り付けの操作性が向上する。
【００２３】
また本実施の形態１に係る固定具４の締結用ボルト１４の頭部１６は内郭７内に収まるように取り付けられたが、図８に示すように、締結用ボルト１４を逆向きに取り付けることも可能である。内郭７の内郭底面孔部１３ａに内周面に軸部１５のねじ部と勘合するねじ溝を備える。また、締結用ボルト１４の頭部１６には、ドライバーの入る溝（＋溝または−溝）が形成されている。このような構成にすることで、締結用ボルト１４の頭部１６が外部に露出するため取り付けの操作性が向上する。また、ナット２９等の部品点数も減らすことが可能である。
【００２４】
次に、実施の形態１に係る第一太陽電池モジュール２１又は第二太陽電池モジュール２４を固定具４から取り外す工程を説明する。図９は、実施の形態１に係る太陽電池モジュール２を第一固定具２５から取り外す工程を示す図である。
太陽光発電システム１において、保守、点検時に何らかの原因で太陽電池モジュール２の交換作業が生じる場合がある。その場合、一枚の太陽電池モジュール２を交換するために、その周囲の太陽電池モジュール２まで取り外すことは作業上、好ましくない。しかし、本発明では、太陽電池モジュール２を固定している固定具４が、二つの太陽電池モジュール２間を連結して架台３の部材に固定されている状態から、取り外す場合では、固定具４を完全に取り外すことなく、取り外す太陽電池モジュール２の連結状態を解除することが出来る。
【００２５】
第一太陽電池モジュール２１を取り外す場合について以下に説明する。なお、第一太陽電池モジュール２１を取りはずには第一固定具２５と第二固定具２６の両方に以下に示す操作する必要があるが同様の操作であるため、ここでは第一固定具２５についてのみ説明する。
まず、第一太陽電池モジュール２１を固定している第一固定具２５の締結用ボルト１４を緩める。締結ボルト１４を緩めることで、第一固定具２５が、第一固定具２５の底面に設けられた外郭底面孔部１７に沿って、スライドして可動することができる状態となる。つづいて、緩まった第一固定具２５を、取り外す必要のない第二太陽電池モジュール２４側にスライドさせる。すると第一太陽電池モジュール２１の固定が外れる。これにより第一太陽電池モジュール２１を上側に持ち上げるだけで取り外すことが可能であるため容易に第一太陽電池モジュール２１を交換することが出来る。
【００２６】
以上のように、本発明の実施の形態１にかかる固定具４は、太陽電池モジュール２の取付け作業及び、保守並びに点検時における太陽電池モジュール２の交換作業に有用であり、特に、大型の太陽光発電システム１の設置において適している。
【符号の説明】
【００２７】
１  太陽光発電システム、２  太陽電池モジュール、３  架台、３ａ    固定穴、４  固定具、５  固定具本体、６  外郭、７  内郭、８  外郭底面部、９  外郭側面部、１０  外郭天面部、１１  内郭天面部、１２  内郭側面部、１３  内郭底面部、１３ａ  内郭底面孔部、１４  締結用ボルト、１５  軸部、１６  頭部、１７  外郭底面孔部、１８  支持部材、１９  第一支持部材、２０  第二支持部材、２１  第一太陽電池モジュール、２２  第三支持部材、２３  第四支持部材、２４  第二太陽電池モジュール、２５  第一固定具、２６  第二固定具、２７  第一支持部材底面部、２８  第二支持部材底面部、２９  ナット
【図１】
2014095261.tif 000003
【図２】
2014095261.tif 000004
【図３】
2014095261.tif 000005
【図４】
2014095261.tif 000006
【図５】
2014095261.tif 000007
【図６】
2014095261.tif 000008
【図７】
2014095261.tif 000009
【図８】
2014095261.tif 000010
【図９】
2014095261.tif 000011